(57)【要約】      （修正有）【課題】従来の体を大きく動かして組み立てるブロック玩具よりも、組み立ての自由度が高い新規のブロック玩具を提供する。【解決手段】ブロック玩具は、複数のパーツを組み合わせて立体を造形するブロック玩具であって、パーツとして、面ファスナーのループとなるループ布９で表面が構成されるブロックパーツ１と、面ファスナーのフックを有するジョイントパーツ３とを備える。さらに、ブロックパーツ１は、ループ布９の内側に、緩衝材からなるクッション部５を備えても良い。【選択図】図２
0003207594.tif 000002
【実用新案登録請求の範囲】
【請求項１】
複数のパーツを組み合わせて立体を造形するブロック玩具であって、
前記パーツとして、
面ファスナーのループとなるループ布で表面が構成されるブロックパーツと、
面ファスナーのフックを有するジョイントパーツとを備える、ブロック玩具。
【請求項２】
前記ブロックパーツは、前記ループ布の内側に、
緩衝材からなるクッション部をさらに備える、請求項１記載のブロック玩具。
【請求項３】
前記ブロックパーツは、前記ループ布と前記クッション部の間に、
前記ループ布よりも伸縮性が小さい布からなる裏地をさらに備え、
前記ループ布と前記裏地は前記ループ布を糸が貫通するように縫い合わせられている、請求項２記載のブロック玩具。
【請求項４】
前記クッション部は、板状の緩衝材からなる、請求項２又は３記載のブロック玩具。
【請求項５】
前記ジョイントパーツは、前記ループ布からなる一面をさらに備える、請求項１から４のいずれかに記載のブロック玩具。
【請求項６】
前記ジョイントパーツは、前記フックとなるフック布と、前記ループ布のみを縫い合わせてなる、請求項５記載のブロック玩具。
【請求項７】
複数のブロックパーツを組み合わせて立体を造形するブロック玩具を構成する当該ブロックパーツであって、
当該ブロックパーツの外側から内側へと順に、
面ファスナーのループとなるループ布と、
前記ループ布よりも伸縮性が小さい布からなる裏地と、
緩衝材からなるクッション部とを備え、
前記ループ布と前記裏地は前記ループ布を糸が貫通するように縫い合わせられている、ブロックパーツ。
【請求項８】
複数のブロックパーツをジョイントパーツで組み合わせて立体を造形するブロック玩具を構成する当該ジョイントパーツであって、
面ファスナーのフックとなるフック布と、
面ファスナーのループとなるループ布とを縫い合わせてなる、ジョイントパーツ。
【考案の詳細な説明】
【技術分野】
【０００１】
本考案は、複数のブロックパーツを立体的に組立可能なブロック玩具等に関する。
【背景技術】
【０００２】
ブロック玩具は、複数のパーツを組み合わせて様々な形を作ることができ、子供の創造力を育む定番の室内玩具である。
【０００３】
小さいブロックだと手元だけの遊びになりがちであるが、非特許文献１及び２のように大きなパーツからなるブロック玩具であれば、室内でも体を大きく動かして遊ぶことができる。
【先行技術文献】
【非特許文献】
【０００４】
【非特許文献１】Tukluk社、TUKLUK、[online]、[平成28年8月26日検索]、インターネット〈URL：http://tukluk.eu/〉
【非特許文献２】株式会社アポロ社、ミッフィー（メルシス・ビー・ヴィの登録商標）やわらかパズルマットABC、[online]、[平成28年8月26日検索]、インターネット〈URL：http://www.apollo-sha.co.jp/shop/baby_toy/miffy/9418.htm〉
【考案の概要】
【考案が解決しようとする課題】
【０００５】
しかしながら、非特許文献１のブロック玩具では、組み合わせるパーツ同士の角及び辺を揃えなければ、接合することができない。
【０００６】
そこで、本考案では、より自由に組み合わせることができるブロック玩具等の提供を目的とする。
【課題を解決するための手段】
【０００７】
本考案の第１の観点は、複数のパーツを組み合わせて立体を造形するブロック玩具であって、前記パーツとして、面ファスナーのループとなるループ布で表面が構成されるブロックパーツと、面ファスナーのフックを有するジョイントパーツとを備える、ブロック玩具である。
【０００８】
本考案の第２の観点は、第１の観点のブロック玩具であって、前記ブロックパーツは、前記ループ布の内側に、緩衝材からなるクッション部をさらに備える、ブロック玩具である。
【０００９】
本考案の第３の観点は、第２の観点のブロック玩具であって、前記ブロックパーツは、前記ループ布と前記クッション部の間に、非伸縮性の布からなる裏地をさらに備え、前記ループ布と前記裏地は前記ループ布を糸が貫通するように縫い合わせられている、ブロック玩具である。
【００１０】
本考案の第４の観点は、第２又は３の観点のブロック玩具であって、前記クッション部は、板状の緩衝材からなる、ブロック玩具である。
【００１１】
本考案の第５の観点は、第１から第４の観点のいずれかに記載のブロック玩具であって、前記ジョイントパーツは、前記ループ布からなる一面をさらに備える、ブロック玩具である。
【００１２】
本考案の第６の観点は、第５の観点のブロック玩具であって、前記ジョイントパーツは、前記フックとなるフック布と、前記ループ布のみを縫い合わせてなる、ブロック玩具である。
【００１３】
本考案の第７の観点は、複数のブロックパーツを組み合わせて立体を造形するブロック玩具を構成する当該ブロックパーツであって、当該ブロックパーツの外側から内側へと順に、面ファスナーのループとなるループ布と、前記ループ布よりも伸縮性が小さい布からなる裏地と、緩衝材からなるクッション部とを備え、前記ループ布と前記裏地は前記ループ布を糸が貫通するように縫い合わせられている、ブロックパーツである。
【００１４】
本考案の第８の観点は、複数のブロックパーツをジョイントパーツで組み合わせて立体を造形するブロック玩具を構成する当該ジョイントパーツであって、面ファスナーのフックとなるフック布と、面ファスナーのループとなるループ布とを縫い合わせてなる、ジョイントパーツである。
【考案の効果】
【００１５】
本考案の各観点によれば、従来の体を大きく動かして組み立てるブロック玩具よりも、組み立ての自由度が高い新規のブロック玩具等の提供が可能になる。
【００１６】
また、非特許文献１のようなブロック玩具では、一人遊びになりがちであるのに対して、本考案のブロック玩具であれば、子供達が集団で遊ぶよう自然と促される。本考案のブロック玩具では、一箇所を結合するために、最低でもブロックパーツ二つとジョイントパーツ一つが必要である。よって、ブロックパーツを支える役割とジョイントパーツを貼り付ける役割等が生じ、組み立て作業を複数人で協同しながら行うことが促進される。
【００１７】
本考案の第２の観点によれば、ジョイント機能を担うループ布と緩衝機能を担うクッション部とを分離することが可能となる。このため、ジョイントパーツの着脱によりループ布が汚れたり破損したりしても低コストで補修や交換が可能となる。
【００１８】
本考案の第３の観点によれば、ブロックパーツの表面のループ布が伸びにくく、ジョイントパーツの着脱を繰り返しても劣化しにくいブロック玩具の提供が可能になる。
【００１９】
本考案の第４の観点によれば、自重ではあまり曲がらず、手では簡単に曲げることができるブロック玩具の提供が可能になる。また、板状であるため、組み立てれば大きな空間を構成できる割に、嵩張らず、コンパクトに収納できる。
【００２０】
本考案の第５の観点によれば、ジョイントパーツをブロックパーツだけではなく、他のジョイントパーツにも貼りつけることができ、複数のジョイントパーツをつなげて長い帯にすることも可能になる。
【００２１】
本考案の第６の観点によれば、柔軟性があり、自由に折り曲げることができるため、ブロックパーツへの着脱が容易なジョイントパーツを提供することが可能になる。
【図面の簡単な説明】
【００２２】
【図１】ブロックパーツとジョイントパーツの一例の写真である。
【図２】ブロックパーツとジョイントパーツの構造の模式図である。
【図３】ブロック玩具を身に着けて遊ぶ子供の写真である。
【図４】クッション部の写真である。
【図５】実際に子供達が複数のパーツ組み合わせて作った構造物の写真である。
【図６】子供達が協同して組み立てる様子を示す写真である。
【図７】積み重ねブロックパーツの側面図である。
【考案を実施するための形態】
【００２３】
以下、図面を参照して本考案の実施例について説明する。なお、本考案の実施の形態は、本実施例に限定されるものではない。
【実施例】
【００２４】
図１は、本考案のブロック玩具１０のブロックパーツ１とジョイントパーツ３の一例の写真である。図２はブロックパーツ１とジョイントパーツ３の構造の模式図であり、（ａ−１）はブロックパーツ１の斜視図、（ａ−２）はブロックパーツ１のＡ−Ａ’線断面図、（ｂ−１）はジョイントパーツ３の平面図、（ｂ−２）はジョイントパーツ３の底面図、（ｂ−２）はジョイントパーツ３のＢ−Ｂ’線断面図である。
【００２５】
ブロックパーツ１は薄板状の直方体であり、最大の面は一辺が６０ｃｍの正方形である。これは、対象年齢となる子供の体格や、集団遊びを促すことにとって適切な大きさである。また、ブロックパーツ１は、クッション部５と、クッション部を覆う布部７で構成される。
【００２６】
クッション部５は、柔らかい緩衝性のあるポリエチレン樹脂発泡体（本願請求項記載の「緩衝材」の一例）からなる。よって、安全性の高い玩具としてだけでなく、乳幼児のお座りやお昼寝に使用する敷きマットや、遊戯用スペースを区切る衝立などの家具としても使用することが可能である。なお、安全性を確保しつつ、低コストでブロック玩具を提供するためには、ポリエチレン樹脂発泡体は、軽量、弾力性、柔軟性、遅燃性、燃焼時に有毒ガス（ダイオキシン）がでない、食品衛生法適合にグレードアップ可能、耐薬品性、非吸水性、低コストといった特性を有することが望ましい。
【００２７】
クッション部５を覆う布部７は、面ファスナーのループとなるループ布９（本願請求項に記載の「ループ布」の一例）からなる。ループ布９には、耐久性に優れ、堅牢度が高く、毛羽立ちの少ないナイロン製の布を用いた。また、子供が素肌で触れても心地の良い柔らかい肌触りと、アレルギーなど敏感な子供が触ることも想定し、ノーホルマリン加工の布を用いた。よって、図３に示すように、身に着けて遊ぶこともできる。
【００２８】
また、布部７には線ファスナー１１が設けられているため、布部７からクッション部５を取り出して布部７のみを洗濯することができ、清潔に保つことが可能である。また、布部７又はクッション部５のどちらかが破損した場合にも、補修や交換が容易である。
【００２９】
さらに、ループ布９には、ループ布９よりも伸びにくい生地を裏地１３として、図１中の点線のように約１５ｃｍ間隔で縦と横に縫い目１５を入れ、ループ布を糸が貫通するように縫い付けた。これにより、子供の力でもジョイントパーツ３をはがすことが容易となる。また、ジョイントパーツ３の着脱によってループ布９が伸びて劣化することを防止できる。なお、裏地１３には、薄いのに耐久性があり、滑りがよい生地が望ましい。本実施例では、ポリエステル製の布を用いた。
【００３０】
ジョイントパーツ３は、帯状であり、両端が丸みを帯びた形状をしている。そして、少なくとも片面を面ファスナーのフックとなるフック布１７で構成することで、ブロックパーツに貼り付けることができる。なお、フック布１７のフックは、繰り返しの着脱にも耐えられるように高強度であることが望ましいが、子供の手に触れるものであるから、フック布１７もなるべく手触りが痛くない生地が良い。
【００３１】
ブロックパーツに接しない面には、触れても痛くないように、硬いフックのある布ではなく、ループ布１９のように肌触りの良い布を用いた。ループ布１９と同一の生地を用いれば、ジョイントパーツ３をブロックパーツ１に貼り付けた場合に統一感のある外見となる。また、ジョイントパーツ３をブロックパーツ１だけではなく、他のジョイントパーツ３にも貼りつけることができ、複数のジョイントパーツ３をつなげて長い帯にすることも可能になる。
【００３２】
さらに、本実施例のジョイントパーツ３は、強度を重視するブロックパーツ１とは異なり、クッション部５を有しない。また、フック布１７とループ布１９の２枚の布のみを縫い合わせて構成した。そのため、柔軟性があり自由に折り曲げることができ、ブロックパーツへの着脱が容易であった。
また、ブロックパーツ１と同様に、ループ布１９に裏地１３を縫い合わせると強度は向上する。しかし、着脱を繰り返すうちに、裏地１３を縫い付けたループ布１９と、フック布１７では伸び率が異なってくるため、ブロックパーツ１との着脱を繰り返すうちに、ジョイントパーツ３が湾曲した状態になる傾向が懸念される。よって、平坦な状態を保持しやすくするためには、フック布１７とループ布１９の２枚の布のみを縫い合わせることが好ましい。
【００３３】
なお、柔軟性よりも着脱によるジョイントパーツ３の劣化を防ぐことを重視するのであれば、ジョイントパーツのフック布１７とループ布１９の間に、芯材を入れて、ジョイントパーツの強度を向上させても良い。また、柔軟性を保ちつつ強度を向上させる必要がある場合には、ジョイントパーツ３のループ布１９に裏地１３を縫い付けても良い。
【００３４】
図４は、ブロックパーツのループ布から取り出したクッション部５の写真である。クッション部５の素材としては、立て掛けたときに（ａ）のように撓む素材ではなく、（ｂ）のように自重では曲がらない素材を採用することが望ましい。本実施例では、緩衝材の発泡密度を３０〜４５ｋｇ／ｍ３とすることで、適度な弾力性のあるクッション部を実現することができた。３０ｃｍ角などのより小さなサイズの場合は、２０ｋｇ／ｍ３でも適切な強度であった。これにより、複数のパーツを組み合わせても、比較的安定した構造になる。ただし、子供がぶつかったり、子供に倒れかかったりしても痛くない素材であることが望ましい。本考案のブロック玩具は、組み合わせると容易に大きな構造になり得るため、ブロック玩具が倒れても危険ではないよう緩衝性のある素材であることが望ましい。また、子供が手で曲げると簡単に湾曲する素材であることがさらに望ましい。さらに、不燃性、耐熱性、遅延性のような素材が望ましく、仮に燃えてもダイオキシン等の有害ガスが発生しない素材が望ましい。
【００３５】
図５は、実際に複数のパーツを組み合わせて作った巨大迷路様の構造物の写真である。隣接するブロックパーツ１同士の辺がずれた状態でジョイントパーツ３により固定され、隙間がある箇所が所々存在している。この写真から、本考案のブロック玩具では、非特許文献１のような従来のブロック玩具に比べて構造上の制約が少なく、子供達がより自由に組み合わせて遊べることが見て取れる。
【００３６】
図６は、子供達が協同して組み立てる様子を示す写真である。本考案のブロック玩具では、一箇所を結合するために、最低でも二つのブロックパーツ１と一つのジョイントパーツ３が必要である。一人で組み立てることも可能ではあるが、実際に子供達が遊んでいる様子を観ると、自然とブロックパーツ１を支える役割とジョイントパーツ３を貼り付ける役割等が生じ、二人で協同して組み立てる場面が多く観られた。
【００３７】
なお、ジョイントパーツ３は、図６中の円形ジョイントパーツ２１のように、帯状ではなく円形その他の形状であっても良い。
【００３８】
図７は、本考案のブロック玩具のブロックパーツ１を積み重ねたところを横から見た図である。ブロックパーツ１が板状であるため、組み立てれば大きな空間を構成できる割に、嵩張らず、コンパクトに収納できる。さらに、ジョイントパーツ３を側面に貼り付ければ、簡単にひとまとまりにして収納することができる。
【００３９】
なお、本願では、「ブロック玩具」はパーツを組み合わせて遊ぶ玩具を指すものであり、パーツの形状は薄板状の直方体に限られず、厚みのある直方体やその他の多面体や球体など様々な形状であってもよいし、様々な形状が混在しても良い。
【００４０】
また、クッション部の密度は、クッション部の厚みやサイズに応じて適宜変更しても良い。さらに、素材が満たすべき条件に合えば、ポリウレタン樹脂発泡体などの他の材料を用いても良い。
【符号の説明】
【００４１】
１・・・ブロックパーツ、３・・・ジョイントパーツ、５・・・クッション部、７・・・布部、９・・・ループ布、１０・・・ブロック玩具、１１・・・線ファスナー、１３・・・裏地、１５・・・縫い目、１７・・・フック布、１９・・・ループ布、２１・・・円形ジョイントパーツ
【図１】
0003207594.tif 000003
【図２】
0003207594.tif 000004
【図３】
0003207594.tif 000005
【図４】
0003207594.tif 000006
【図５】
0003207594.tif 000007
【図６】
0003207594.tif 000008
【図７】
0003207594.tif 000009